【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
空気流量を検出するセンシング部（２２）の出力値に基づいて、空気流量を計測する計測制御装置（４５）であって、
前記空気流量にて生じる脈動の最大値である脈動最大値（ＧｍａｘＡ）と前記脈動の平均値である平均空気量（ＧａｖｅＡ）又は前記脈動の最小値である脈動最小値（ＧｍｉｎＡ）との差である脈動振幅（ＰａＡ）を、前記出力値を用いて算出する振幅算出部（５８）と、
前記出力値を用いて前記平均空気量を算出する平均算出部（５７）と、
前記脈動振幅と補正パラメータ（ＥｒｒＫｎ）との関係を示す補正特性を、異なる前記平均空気量の各々に関連付けて記憶する記憶装置と、
前記記憶装置に記憶された複数の前記補正特性の中から、前記平均算出部によって算出された前記平均空気量に対応する前記補正特性を選択する特性選択部（Ｓ１０１）と、
前記特性選択部により選択された前記補正特性を用いて、前記振幅算出部により算出された前記脈動振幅に対応する前記補正パラメータを取得する補正パラメータ取得部（Ｓ１０４）と、
前記補正パラメータ取得部により取得された前記補正パラメータを用いて前記空気流量の補正を行う流量補正部（６１）と、を備えている計測制御装置。
【請求項２】
前記平均算出部により算出された前記平均空気量と、前記特性選択部により選択された前記補正特性に対応する前記平均空気量との比である変換係数（Ｋｎ）を算出する係数算出部（Ｓ１０２）と、
前記係数算出部により算出された前記変換係数を用いて、前記振幅算出部により算出された前記脈動振幅を、前記特性選択部により選択された前記補正特性に含まれる値である変換振幅（ＰａＫｎ）に変換する振幅変換部（Ｓ１０３）と、を備え、
前記補正パラメータ取得部は、前記特性選択部により選択された前記補正特性を用いて、前記振幅変換部により変換された前記変換振幅に対応する前記補正パラメータを取得する、請求項１に記載の計測制御装置。
【請求項３】
空気流量を検出するセンシング部（２２）の出力値に基づいて、空気流量を計測する計測制御装置（４５）であって、
前記空気流量にて生じる脈動の最大値である脈動最大値（ＧｍａｘＡ）と前記脈動の平均値である平均空気量（ＧａｖｅＡ）又は前記脈動の最小値である脈動最小値（ＧｍｉｎＡ）との差である脈動振幅（ＰａＡ）を、前記出力値を用いて算出する振幅算出部（５８）と、
前記空気流量の補正を行うための補正特性を用いて、前記振幅算出部により算出された前記脈動振幅に対応する補正パラメータ（ＥｒｒＫｎ）を取得する補正パラメータ取得部（Ｓ１０４）と、
前記補正パラメータ取得部により取得された前記補正パラメータを用いて前記空気流量の補正を行う流量補正部（６１）と、を備え、
さらに、
前記出力値を用いて前記平均空気量を算出する平均算出部（５７）と、
複数の前記補正特性とあらかじめ定められた前記平均空気量との関係を示す参照情報について、前記補正パラメータ取得部による前記補正パラメータの取得に用いる前記補正特性を選択する特性選択部（Ｓ１０１）と、
前記平均算出部により算出された前記平均空気量と、前記特性選択部により選択された前記補正特性に対応する前記平均空気量との比である変換係数（Ｋｎ）を算出する係数算出部（Ｓ１０２）と、
前記係数算出部により算出された前記変換係数を用いて、前記振幅算出部により算出された前記脈動振幅を、前記参照情報において前記特性選択部により選択された前記補正特性に含まれる値である変換振幅（ＰａＫｎ）に変換する振幅変換部（Ｓ１０３）と、を備え、
前記補正パラメータ取得部は、前記特性選択部により選択された前記補正特性を用いて、前記振幅変換部により変換された前記変換振幅に対応する前記補正パラメータを取得する、計測制御装置。
【請求項４】
前記特性選択部は、複数の前記補正特性を選択し、
前記係数算出部は、前記特性選択部により選択された複数の前記補正特性のそれぞれについて前記変換係数を算出し、
前記振幅変換部は、前記特性選択部により選択された複数の前記補正特性のそれぞれについて前記脈動振幅を前記変換振幅に変換し、
前記補正パラメータ取得部は、前記特性選択部により選択された複数の前記補正特性のそれぞれについて前記補正パラメータを取得し、
前記流量補正部は、前記補正パラメータ取得部により取得された複数の前記補正パラメータを用いて前記空気流量の補正を行う、請求項２又は３に記載の計測制御装置。
【請求項５】
前記補正パラメータ取得部により取得された複数の前記補正パラメータを補間することで、前記振幅算出部により算出された前記脈動振幅に対応する補間パラメータ（ＥｒｒＡ）を取得する補間パラメータ取得部（Ｓ１０５）、を備え、
前記流量補正部は、前記補間パラメータ取得部により取得された前記補間パラメータを用いて前記空気流量の補正を行う、請求項４に記載の計測制御装置。
【請求項６】
前記特性選択部は、
複数の前記補正特性の各々に対応する前記平均空気量のうち、前記平均算出部により算出された前記平均空気量との差が最も小さい方から数えて少なくとも２つの前記平均空気量について、これら前記平均空気量のそれぞれに対応する前記補正特性を選択する、請求項４又は５に記載の計測制御装置。
【請求項７】
前記出力値に含まれる脈動の周波数である脈動周波数（Ｆ）を算出する周波数算出部（５９）を備え、
複数の前記補正特性は、異なる前記脈動周波数の各々に関連付けて記憶されており、
前記特性選択部は、前記平均算出部により算出された前記平均空気量と前記周波数算出部により算出された前記脈動周波数との両方に基づいて前記補正特性を選択する、請求項２〜６のいずれか１つに記載の計測制御装置。
【請求項８】
前記補正パラメータは、前記出力値に脈動が含まれることで前記空気流量に生じる誤差である脈動誤差（ＥｒｒＫｎ）である、請求項１〜７のいずれか１つに記載の計測制御装置。
【請求項９】
空気の流量である空気流量を計測する流量計測装置（１０）であって、
前記空気が流入する流入口（３３）及び前記空気が流出する流出口（３４）を有する通過流路（３１）と、
前記通過流路から流れ込んだ前記空気が流出する分岐出口（３６）を有し、前記通過流路から分岐した分岐流路（３２）と、
前記分岐流路において空気流量を検出するセンシング部（２２）と、
前記センシング部の出力値を用いて前記空気流量を計測する計測制御部（４５）と、を備え、
前記計測制御部は、
前記空気流量にて生じる脈動の最大値である脈動最大値（ＧｍａｘＡ）と前記脈動の平均値である平均空気量（ＧａｖｅＡ）又は前記脈動の最小値である脈動最小値（ＧｍｉｎＡ）との差である脈動振幅（ＰａＡ）を、前記出力値を用いて算出する振幅算出部（５８）と、
前記出力値を用いて前記平均空気量を算出する平均算出部（５７）と、
前記脈動振幅と補正パラメータ（ＥｒｒＫｎ）との関係を示す補正特性を、異なる前記平均空気量の各々に関連付けて記憶する記憶装置と、
前記記憶装置に記憶された複数の前記補正特性の中から、前記平均算出部によって算出された前記平均空気量に対応する前記補正特性を選択する特性選択部（Ｓ１０１）と、
前記特性選択部により選択された前記補正特性を用いて、前記振幅算出部により算出された前記脈動振幅に対応する前記補正パラメータを取得する補正パラメータ取得部（Ｓ１０４）と、
前記補正パラメータ取得部により取得された前記補正パラメータを用いて前記空気流量の補正を行う流量補正部（６１）と、を備えている流量計測装置。
【請求項１０】
前記流入口と前記流出口とが並んだ並び方向（Ｚ）において、前記分岐出口は、前記並び方向に直交した方向（Ｘ）を向いている、又は前記直交した方向に対して前記流入口側に傾斜した方向を向いている、請求項９に記載の流量計測装置。
【請求項１１】
前記通過流路及び前記分岐流路を形成するハウジング（２１）を備え、
前記ハウジングは、互いに反対を向いた一対の端面（２４ｂ，２４ｃ）を有しており、
前記一対の端面のうち前記流入口が設けられた流入面（２４ｂ）に、前記分岐出口の少なくとも一部が設けられている、請求項１０に記載の流量計測装置。
【請求項１２】
前記流入口と前記流出口とが並んだ方向（Ｚ）において、前記分岐出口及び前記流出口が前記流入口とは反対側を向いている、請求項９に記載の流量計測装置。
【請求項１３】
前記補正パラメータは、前記出力値に脈動が含まれることで前記空気流量に生じる誤差である脈動誤差であり、
前記脈動振幅を前記平均空気量で除した値である脈動率が大きくなるほど、前記脈動誤差の増加率が大きくなっていく特性を有した、請求項９〜１２のいずれか１つに記載の流量計測装置。
【手続補正２】
【補正対象書類名】明細書
【補正対象項目名】０００７
【補正方法】変更
【補正の内容】
【０００７】
上記目的を達成するため、開示された第１の態様は、
空気流量を検出するセンシング部（２２）の出力値に基づいて、空気流量を計測する計測制御装置（４５）であって、
空気流量にて生じる脈動の最大値である脈動最大値（ＧｍａｘＡ）と脈動の平均値である平均空気量（ＧａｖｅＡ）又は脈動の最小値である脈動最小値（ＧｍｉｎＡ）との差である脈動振幅（ＰａＡ）を、出力値を用いて算出する振幅算出部（５８）と、
出力値を用いて平均空気量を算出する平均算出部（５７）と、
脈動振幅と補正パラメータ（ＥｒｒＫｎ）との関係を示す補正特性を、異なる平均空気量の各々に関連付けて記憶する記憶装置と、
記憶装置に記憶された複数の補正特性の中から、平均算出部によって算出された平均空気量に対応する補正特性を選択する特性選択部（Ｓ１０１）と、
特性選択部により選択された補正特性を用いて、振幅算出部により算出された脈動振幅に対応する補正パラメータを取得する補正パラメータ取得部（Ｓ１０４）と、
補正パラメータ取得部により取得された補正パラメータを用いて空気流量の補正を行う流量補正部（６１）と、を備えている計測制御装置である。
開示された第２の態様は、
空気流量を検出するセンシング部（２２）の出力値に基づいて、空気流量を計測する計測制御装置（４５）であって、
空気流量にて生じる脈動の最大値である脈動最大値（ＧｍａｘＡ）と脈動の平均値である平均空気量（ＧａｖｅＡ）又は脈動の最小値である脈動最小値（ＧｍｉｎＡ）との差である脈動振幅（ＰａＡ）を、出力値を用いて算出する振幅算出部（５８）と、
空気流量の補正を行うための補正特性を用いて、振幅算出部により算出された脈動振幅に対応する補正パラメータ（ＥｒｒＫｎ）を取得する補正パラメータ取得部（Ｓ１０４）と、
補正パラメータ取得部により取得された補正パラメータを用いて空気流量の補正を行う流量補正部（６１）と、を備え、
さらに、
出力値を用いて平均空気量を算出する平均算出部（５７）と、
複数の補正特性とあらかじめ定められた平均空気量との関係を示す参照情報について、補正パラメータ取得部による補正パラメータの取得に用いる補正特性を選択する特性選択部（Ｓ１０１）と、
平均算出部により算出された平均空気量と、特性選択部により選択された補正特性に対応する平均空気量との比である変換係数（Ｋｎ）を算出する係数算出部（Ｓ１０２）と、
係数算出部により算出された変換係数を用いて、振幅算出部により算出された脈動振幅を、参照情報において特性選択部により選択された補正特性に含まれる値である変換振幅（ＰａＫｎ）に変換する振幅変換部（Ｓ１０３）と、を備え、
補正パラメータ取得部は、特性選択部により選択された補正特性を用いて、振幅変換部により変換された変換振幅に対応する補正パラメータを取得する、計測制御装置
【手続補正３】
【補正対象書類名】明細書
【補正対象項目名】０００８
【補正方法】変更
【補正の内容】
【０００８】
第１および第２の態様によれば、脈動特性を介して脈動誤差の算出に用いられる脈動振幅は、平均空気量を分母にして算出された値ではないため、外部で空気の逆流が発生した場合でも、出力値の脈動振幅が真の脈動振幅より小さくなりにくくなっている。このため、真の脈動振幅に対する出力値の脈動振幅の誤差が大きくなりにくい。しかも、本態様によれば、補正特性を用いて出力値の脈動振幅から補正パラメータが取得されるため、補正パラメータの取得精度を高めることができる。したがって、外部で空気の逆流が発生した場合でも空気流量の補正精度を高めることができる。
【手続補正４】
【補正対象書類名】明細書
【補正対象項目名】０００９
【補正方法】変更
【補正の内容】
【０００９】
第３の態様は、
空気の流量である空気流量を計測する流量計測装置（１０）であって、
空気が流入する流入口（３３）及び空気が流出する流出口（３４）を有する通過流路（３１）と、
通過流路から流れ込んだ空気が流出する分岐出口（３６）を有し、通過流路から分岐した分岐流路（３２）と、
分岐流路において空気流量を検出するセンシング部（２２）と、
センシング部の出力値を用いて空気流量を計測する計測制御部（４５）と、を備え、
計測制御部は、
空気流量にて生じる脈動の最大値である脈動最大値（ＧｍａｘＡ）と脈動の平均値である平均空気量（ＧａｖｅＡ）又は脈動の最小値である脈動最小値（ＧｍｉｎＡ）との差である脈動振幅（ＰａＡ）を、出力値を用いて算出する振幅算出部（５８）と、
出力値を用いて平均空気量を算出する平均算出部（５７）と、
脈動振幅と補正パラメータ（ＥｒｒＫｎ）との関係を示す補正特性を、異なる平均空気量の各々に関連付けて記憶する記憶装置と、
記憶装置に記憶された複数の補正特性の中から、平均算出部によって算出された平均空気量に対応する補正特性を選択する特性選択部（Ｓ１０１）と、
特性選択部により選択された補正特性を用いて、振幅算出部により算出された脈動振幅に対応する補正パラメータを取得する補正パラメータ取得部（Ｓ１０４）と、
補正パラメータ取得部により取得された補正パラメータを用いて空気流量の補正を行う流量補正部（６１）と、を備えている流量計測装置である。
【手続補正５】
【補正対象書類名】明細書
【補正対象項目名】００１０
【補正方法】変更
【補正の内容】
【００１０】
第３の態様によれば、分岐流路を流れる空気についてセンシング部により空気流量が検出される。このため、流量計測装置の外部において空気の逆流が発生しても、その逆流が分岐出口から流入しにくい場合には、逆流についての空気流量がセンシング部により検出されないことが考えられる。これに対して、脈動振幅は、平均空気量で除した数値ではないため、上記第１および第２の態様と同様に、外部で空気の逆流が発生した場合でも空気流量の補正精度を高めることができる。